(57)【特許請求の範囲】
【請求項１】
複数の駐車場管理装置と、前記複数の駐車場管理装置のうち少なくとも一つに対応づけられ、その対応する前記駐車場管理装置とそれぞれ通信接続可能な複数の経営管理装置と、前記複数の駐車場管理装置と通信接続可能なセンタ管理装置と、を含む駐車場管理システムにおいて、
前記複数の駐車場管理装置は、それぞれ、
駐車場売上関連情報及び非駐車場売上関連情報を取得する情報取得手段と、
前記非駐車場売上関連情報を前記センタ管理装置に送信する非駐車場売上関連情報送信手段と、
前記駐車場売上関連情報を当該駐車場管理装置に対応する前記経営管理装置に送信する駐車場売上関連情報送信手段と、
を含み、
前記駐車場管理装置と前記センタ管理装置とは常時接続回線を介して接続され、前記非駐車場売上関連情報送信手段は、リアルタイムに前記非駐車場売上関連情報を前記センタ管理装置に送信し、
前記駐車場売上関連情報送信手段は、送信するように予め設定された情報であって、前記駐車場売上関連情報を含む情報を当該駐車場管理装置に対応する前記経営管理装置に送信することを特徴とする駐車場管理システム。
【請求項２】
複数の駐車場管理装置と、前記複数の駐車場管理装置のうち少なくとも一つに対応づけられ、その対応する前記駐車場管理装置とそれぞれ通信接続可能な複数の経営管理装置と、前記複数の駐車場管理装置と通信接続可能なセンタ管理装置と、を含む駐車場管理システムにおいて、
前記複数の駐車場管理装置は、それぞれ、
駐車場売上関連情報及び非駐車場売上関連情報を取得する情報取得手段と、
前記非駐車場売上関連情報を前記センタ管理装置に送信する非駐車場売上関連情報送信手段と、
前記駐車場売上関連情報を当該駐車場管理装置に対応する前記経営管理装置に送信する駐車場売上関連情報送信手段と、
を含み、
前記駐車場管理装置と前記センタ管理装置とは常時接続回線を介して接続され、前記非駐車場売上関連情報送信手段は、リアルタイムに前記非駐車場売上関連情報を前記センタ管理装置に送信し、
前記駐車場売上関連情報送信手段は、前記経営管理装置から、前記駐車場売上関連情報の送信要求があった場合であって、予め登録された駐車場オーナからの送信要求であると判断した場合に、前記駐車場売上関連情報を当該駐車場管理装置に対応する前記経営管理装置に送信することを特徴とする駐車場管理システム。
【請求項３】
請求項１又は２に記載の駐車場管理システムにおいて、
前記複数の駐車場管理装置は、それぞれ、
当該駐車場管理装置に対応する前記経営管理装置に対し、前記駐車場売上関連情報に加えて、当該駐車場管理装置のＩＤ情報を送信するＩＤ情報送信手段をさらに含み、
前記経営管理装置は、複数の駐車場管理装置から前記駐車場売上関連情報及び前記ＩＤ情報を受信した場合、それら情報に基づいて、駐車場管理装置毎の個別売上管理画像を生成するとともに、当該経営管理装置に対応する複数の駐車場管理装置のうち任意の組み合わせについての合算売上管理画像を生成する売上管理画像生成手段を含むことを特徴とする駐車場管理システム。
【発明の詳細な説明】
【０００１】
【発明の属する技術分野】
本発明は駐車場管理システムに関し、特に、複数の駐車場をセンタ管理装置から遠隔管理することのできる駐車場管理システムに関する。
【０００２】
【従来の技術】
駐車場経営においては、不正利用の防止のための警備、精算機やゲート装置等の駐車場設備に対する保守、精算機からの料金回収及びその集計が必要とされる。これらを小規模な駐車場ついてまでオーナ自らが行うのでは煩に耐えない。そこで、監視カメラや各種センサを用いて駐車場に関する情報を検知する駐車場管理装置を各駐車場に設置し、それら駐車場に関する情報をセンタ管理装置に送信することによって、専門スタッフが複数の駐車場を遠隔管理するシステムが提案されているところである。かかるシステムによれば、駐車場オーナは駐車場管理を専門スタッフに委託することができるようになる。
【０００３】
【発明が解決しようとする課題】
ところが、駐車場に関する情報を全てセンタ管理装置に送信するのは駐車場オーナにとって望ましくない場合がある。駐車場の売上に関する情報（本明細書では「駐車場売上関連情報」という）がそれである。駐車場オーナが望むと望まざるとに拘わらず、全ての駐車場売上関連情報がセンタ管理装置に送信されるようなシステムのままでは、この種のシステムを利用して専門スタッフに駐車場管理を委託しようとする駐車場オーナの増加は望めない。
【０００４】
本発明は上記課題に鑑みてなされたものであって、その目的は、駐車場管理装置にて取得される駐車場売上関連情報を駐車場オーナに直接送信可能な駐車場管理システムを提供することにある。
【０００５】
【課題を解決するための手段】
上記課題を解決するために、本発明に係る駐車場管理システムは、複数の駐車場管理装置と、前記複数の駐車場管理装置のうち少なくとも一つに対応づけられ、その対応する前記駐車場管理装置とそれぞれ通信接続可能な複数の経営管理装置と、前記複数の駐車場管理装置と通信接続可能なセンタ管理装置と、を含む駐車場管理システムにおいて、前記複数の駐車場管理装置は、それぞれ、駐車場売上関連情報及び非駐車場売上関連情報を取得する情報取得手段と、前記非駐車場売上関連情報を前記センタ管理装置に送信する非駐車場売上関連情報送信手段と、前記駐車場売上関連情報を当該駐車場管理装置に対応する前記経営管理装置に送信する駐車場売上関連情報送信手段と、を含み、前記駐車場管理装置と前記センタ管理装置とは常時接続回線を介して接続され、前記非駐車場売上関連情報送信手段は、リアルタイムに前記非駐車場売上関連情報を前記センタ管理装置に送信し、前記駐車場売上関連情報送信手段は、送信するように予め設定された情報であって、前記駐車場売上関連情報を含む情報を当該駐車場管理装置に対応する前記経営管理装置に送信することを特徴とする。また、本発明に係る駐車場管理システムは、複数の駐車場管理装置と、前記複数の駐車場管理装置のうち少なくとも一つに対応づけられ、その対応する前記駐車場管理装置とそれぞれ通信接続可能な複数の経営管理装置と、前記複数の駐車場管理装置と通信接続可能なセンタ管理装置と、を含む駐車場管理システムにおいて、前記複数の駐車場管理装置は、それぞれ、駐車場売上関連情報及び非駐車場売上関連情報を取得する情報取得手段と、前記非駐車場売上関連情報を前記センタ管理装置に送信する非駐車場売上関連情報送信手段と、前記駐車場売上関連情報を当該駐車場管理装置に対応する前記経営管理装置に送信する駐車場売上関連情報送信手段と、を含み、前記駐車場管理装置と前記センタ管理装置とは常時接続回線を介して接続され、前記非駐車場売上関連情報送信手段は、リアルタイムに前記非駐車場売上関連情報を前記センタ管理装置に送信し、前記駐車場売上関連情報送信手段は、前記経営管理装置から、前記駐車場売上関連情報の送信要求があった場合であって、予め登録された駐車場オーナからの送信要求であると判断した場合に、前記駐車場売上関連情報を当該駐車場管理装置に対応する前記経営管理装置に送信することを特徴とする。
【０００６】
本発明では、駐車場管理装置が例えば駐車場に設置される。センタ管理装置は例えば管理センタ等に設置される。経営管理装置は例えば駐車場オーナの自宅や事務所等に設置される。そして、該駐車場管理装置において、監視カメラにより駐車場の様子を映し出した画像、精算機やゲート装置等の故障や保守に関する情報等の非駐車場売上関連情報のほかに、精算機で収集される駐車場売上関連情報が取得される。このうち非駐車場売上関連情報はセンタ管理装置に送信され、駐車場売上関連情報は当該駐車場管理装置に対応する経営管理装置に送信される。こうすれば、駐車場売上関連情報をセンタ管理装置を介さず直接駐車場オーナに送信することができるようになり、駐車場オーナにとって魅力的なシステムとすることができる。
【０００７】
また、本発明の一態様では、前記複数の駐車場管理装置は、それぞれ、当該駐車場管理装置に対応する前記経営管理装置に対し、前記駐車場売上関連情報に加えて、当該駐車場管理装置のＩＤ情報を送信するＩＤ情報送信手段をさらに含み、前記経営管理装置は、複数の駐車場管理装置から前記駐車場売上関連情報及び前記ＩＤ情報を受信した場合、それら情報に基づいて、駐車場管理装置毎の個別売上管理画像を生成するとともに、複数の駐車場管理装置についての全体売上管理画像を生成する売上管理画像生成手段を含む。
【０００８】
この態様では、経営管理装置に対し、駐車場売上関連情報に加えて駐車場管理装置のＩＤ情報が送信される。そして、駐車場管理装置では、これら情報に基づいて、駐車場管理装置毎の個別売上管理画像を生成するとともに、当該経営管理装置に対応する複数の駐車場管理装置のうち任意の組み合わせについての合算売上管理画像が生成される。このため、これら個別売上管理画像及び合算売上管理画像により、複数の駐車場を所有するオーナが一台の経営管理装置を用いてきめこまかな経営管理を行うことができるようになる。
【０００９】
さらに、本発明の一態様では、前記駐車場管理装置は、対応する前記経営管理装置からの要求に応じて前記駐車場売上関連情報を該経営管理装置に送信する。こうすれば、駐車場管理装置の利用者が必要とするときに駐車場売上関連情報を送信するようにして、通信コストを軽減することができる。
【００１０】
【発明の実施の形態】
以下、本発明の好適な実施の形態について図面に基づき詳細に説明する。
【００１１】
図１は、本発明の実施の形態に係る駐車場管理システムの全体構成を示す図である。同図に示すように、この駐車場管理システム１０は、駐車場管理装置１２ａ〜１２ｅと、経営管理装置１４ａ〜１４ｃと、センタ管理装置１６と、を含んで構成されている。
【００１２】
駐車場管理装置１２はそれぞれ駐車場に設置され、その管轄駐車場について警備及び保守をセンタ管理装置１６から行うための各種センサ及び監視カメラを備える。また、駐車場管理装置１２は駐車料金精算装置に接続されており、駐車場の売り上げに関連する情報、すなわち駐車場売上関連情報を取得することができるようになっている。ここでは、駐車場管理装置１２ｉがｉ駐車場に設置されているものとする（ｉ＝ａ，ｂ，ｃ，ｄ，ｅ）。
【００１３】
経営管理装置１４は駐車場オーナの自宅や事務所等に設置されるものであり、所有駐車場についての駐車場売上関連情報を受信し、それに基づいて経営分析を行うための装置である。ここでは、経営管理装置１４ａによりａ駐車場の経営管理を行い、経営管理装置１４ｂによりｂ駐車場の経営管理を行い、経営管理装置１４ｃによりｃ駐車場、ｄ駐車場、ｅ駐車場の経営管理を行うものとする。すなわち、経営管理装置１４ａの利用者はａ駐車場のオーナであり、経営管理装置１４ｂの利用者はｂ駐車場のオーナであり、経営管理装置１４ｃの利用者はｃ駐車場、ｄ駐車場及びｅ駐車場のオーナである。
【００１４】
センタ管理装置１６は駐車場管理装置１２から警備や保守に有用な各種センサ出力及び監視カメラ画像を受信し、それに基づいて管理画面を生成する。この管理画面は専門スタッフにより常時監視されており、これにより専門スタッフが複数の駐車場を遠隔管理することができるようになっている。例えば管理画面により警備員の派遣が必要と判断される場合、電話等により警備員の派遣を要請する。また、管理画面により保守が必要であると判断される場合、保守員の派遣を電話等により要請する。その他、ゲート装置やパークロック装置等の駐車場設備の遠隔操作が必要である場合には、センタ管理装置１６から制御信号を駐車場管理装置１２側に送信し、これら駐車場設備を遠隔操作する。こうして、センタ管理装置１６により複数の駐車場の遠隔管理が可能となる。
【００１５】
図２は、駐車場管理装置１２の構成を示す図である。駐車場管理装置１２は、ゲート装置１８と、監視カメラ２０と、精算装置２２と、駐車場状態情報取得部２４と、駐車場売上関連情報送信部２６と、非駐車場売上関連情報送信部２８と、を含んで構成されている。ゲート装置１８はゲート式駐車場の出入口に設置されるものであり、駐車場入口に設置されるゲート装置１８では、駐車券発行後、遮断ゲートを上げて車両を駐車場内に進入させる。また、駐車場出口に設置されるゲート装置１８では、精算装置２２による駐車料金の精算後、遮断ゲートを上げて車両の退出を許可する。さらに、ゲート装置１８には遮断バーに不正な力が作用したかどうかを検知するためのセンサが備えており、そのセンサ出力は駐車場状態情報取得部２４に供給されている。
【００１６】
また、駐車場管理装置１２には監視カメラ２０が備えられており、監視画像が駐車場状態情報取得部２４に供給されるようになっている。この監視画像としては、例えばゲート装置１８に備えられる遮断バーを映し出したものや、駐車場出入口を通行する車両のナンバープレートを映し出したものがある。
【００１７】
精算装置２２は駐車場出口に設置されるものであり、既発行の駐車券とを受け付け、それに基づいて駐車料金を算出する。そして、駐車料金が駐車場利用者により投入されると、ゲート装置１８を制御して車両の退出を許可するよう遮断バーを上げるものである。精算装置２２では駐車料金が投入されると、その金額を駐車場状態情報取得部２４に供給している。その他、精算装置２２には各種センサが備えられており、フロントパネルのこじ開け等が行われると、その旨（不正情報）が駐車場状態情報取得部２４に供給されるようになっている。
【００１８】
すなわち、駐車場状態情報取得部２４には、駐車場設備に不審な点がないかどうかを監視するための各種センサ出力が不正情報として集められるようになっている。また、監視カメラ２０からは駐車場の現況画像が供給されるようになっている。さらに、精算装置２２からは駐車場売上関連情報が供給されるようになっている。駐車場売上関連情報としては、日々の売り上げ、時間帯別入出車数、時間別売り上げ等が含まれる。駐車場状態情報取得部２４では、これら駐車場売上関連情報を駐車場売上関連情報送信部２６に供給している。一方、それ以外の情報については非駐車場売上部関連情報送信部２８に供給している。非駐車場売上関連情報は、主として警備や保守に役立てられるものであり、例えば監視カメラ２０から出力される画像情報やゲート装置１８から出力される不正情報である。
【００１９】
非駐車場売上関連情報送信部２８は非駐車場売上関連情報をセンタ管理装置１６に送信する。すなわち、センタ管理装置１６と駐車場管理装置１２とは常時接続回線により通信接続されており、非駐車場売上関連情報はリアルタイムにセンタ管理装置１６に供給されるようになっている。
【００２０】
一方、駐車場売上関連情報送信部２６は駐車場売上関連情報を経営管理装置１４に送信する。駐車場管理装置１２には駐車場オーナの経営管理装置１４に係る認証情報が予め登録されており、経営管理装置１４からのアクセスがあった場合、それが正しい駐車場オーナからのアクセスであるかどうかを該認証情報により判断し、正しい駐車場オーナからのアクセスであると判断すると、駐車場売上関連情報を経営管理装置１４に送信する。駐車場管理装置１２と経営管理装置１４との間のデータ通信は必ずしも常時接続回線を介して行われる必要はなく、経営管理装置１４からのデータ送信要求に応じて駐車場売上関連情報を送信するようにすればよい。
【００２１】
図３は、経営管理装置１４の構成を示す図である。同図に示すように経営管理装置１４は、通信部３０と、制御部３２と、表示部３４と、を含んで構成されている。通信部３０は経営管理装置１２との間のデータ通信を行うためのものである。制御部３２は例えば一般のパーソナルコンピュータを用いて構成されるものであり、駐車場管理装置１２から受信する駐車場売上関連情報に基づいて売上管理画像を生成する。この売上管理画像は表示部３４により表示される。売上管理画像には、各駐車場毎の売上管理に用いられる個別売上管理画像と任意の駐車場の売上を合算してなる合算売上管理画像がある。
【００２２】
制御部３２は、通信部３０を介して駐車場管理装置１２から駐車場売上関連情報を受信すると、図４（ａ）に示されるように駐車場毎の売上集計表等の売上管理画像を表示部３４により表示する。すなわち、経営管理装置１４では、駐車場管理装置１２から駐車場売上関連情報を受信する際、駐車場管理装置１２のＩＤ情報を併せて受信するようになっている。経営管理装置１４が経営管理装置１４ｃのように複数の駐車場の経営管理を行う場合、駐車場管理装置１２ｃ〜１２ｅからそれぞれの駐車場管理装置１２のＩＤ情報を駐車場売上関連情報とともに受信し、ｃ駐車場、ｄ駐車場及びｅ駐車場のそれぞれに対する個別売上管理画像を生成するとともに、駐車場オーナの操作により、それらｃ駐車場〜ｅ駐車場のうち任意の組み合わせに係る合算売上管理画像を生成し、それを表示部３４により表示するようになっている。例えば、経営管理装置１４ｃのユーザである駐車場オーナがｃ駐車場〜ｅ駐車場の三つの駐車場に係る合算売上集計表の生成を指示した場合、図４（ｂ）のような合算売上管理画像（合算売上集計表）が表示される。
【００２３】
図５は、センタ管理装置１６の構成を示す図である。センタ管理装置１６は、通信部３６と、制御部３８と、管理画像表示部４０と、を含んで構成されている。通信部３６は駐車場管理装置１２との間で常時接続回線を介してデータ通信を行うものである。制御部３８はコンピュータ及びソフトウェアにより構成されるものであり、駐車場管理装置１２から送信される非駐車場売上関連情報に基づいて管理画像を生成するものである。この画像は管理画像表示部４０により表示され、専門スタッフが該管理画像を監視することにより、ａ駐車場〜ｅ駐車場を遠隔管理することができるようになっている。
【００２４】
以上説明したように、本発明の実施の形態に係る駐車場管理システム１０では、駐車場管理装置１２において取得される各種駐車場状態情報のうち、駐車場売上関連情報については駐車場オーナの有する経営管理装置１４に直接送信し、非駐車場売上関連情報をセンタ管理装置１６に送信するようにしたため、駐車場オーナにとって他人に知られたくないデータについては無闇にセンタ管理装置１６に収集されることを回避することができ、駐車場オーナにとって魅力的なシステムとすることができる。
【００２５】
なお、以上説明した駐車場管理システム１０は種々の変形実施が可能である。例えば、以上の説明では駐車場売上関連情報を経営管理装置１４に送信する一方で、非駐車場売上関連情報をセンタ管理装置１６に送信し、両者のデータ送信先を全く分離するようにしたが、駐車場オーナによっては駐車場売上関連情報をセンタ管理装置１６に送信することを許容する場合もあろう。この場合には、駐車場売上関連情報をセンタ管理装置１６に送信するようにしてもよい。また、駐車場売上関連情報のうち一部をセンタ管理装置１６に送信するようにしてもよい。いずれにしても、駐車場オーナがセンタ管理装置１６へ送信することを望まない駐車場売上関連情報についてはセンタ管理装置１６を介さず直接に経営管理装置１４に送信するようにすればよい。また、経営管理装置１４において非駐車場売上関連情報の全部又は一部を取得できるようにしてもよい。
【図面の簡単な説明】
【図１】  本発明の実施の形態に係る駐車場管理システムの全体構成を示す図である。
【図２】  駐車場管理装置の構成を示す図である。
【図３】  経営管理装置の構成を示す図である。
【図４】  経営管理装置の表示部により表示される売上管理画面の一例を示す図である。
【図５】  センタ管理装置の構成を示す図である。
【符号の説明】
１０  駐車場管理システム、１２  駐車場管理装置、１４  経営管理装置、１６  センタ管理装置、１８  ゲート装置、２０  監視カメラ、２２  精算装置、２４  駐車場状態情報取得部、２６  駐車場売上関連情報送信部、２８  非駐車場売上関連情報送信部、３０，３６  通信部、３２，３８  制御部、３４  表示部、４０  管理画像表示部。
【図１】
0003930214.tif 000002
【図２】
0003930214.tif 000003
【図３】
0003930214.tif 000004
【図４】
0003930214.tif 000005
【図５】
0003930214.tif 000006